(57)【要約】【課題】  衣類処理装置において、使用者に対して、有用な広告を出力し得る技術を提供する。【解決手段】  衣類処理装置は、衣類に洗い工程、すすぎ工程、脱水工程、及び乾燥工程のうちの少なくとも１つの工程を含む衣類処理を実行する処理実行部と、実行される前記衣類処理に関連する広告を表す広告情報を取得する広告取得部と、取得済みの前記広告情報によって表される前記広告を出力する出力部と、を備えていてもよい。【選択図】図３
2019134892.tif 000002
【特許請求の範囲】
【請求項１】
衣類処理装置であって、
衣類に洗い工程、すすぎ工程、脱水工程、及び乾燥工程のうちの少なくとも１つの工程を含む衣類処理を実行する処理実行部と、
実行される前記衣類処理に関連する広告を表す広告情報を取得する広告取得部と、
取得済みの前記広告情報によって表される前記広告を出力する出力部と、を備える衣類処理装置。
【請求項２】
使用者から実行すべき前記衣類処理の内容に関する指示を取得する指示取得部をさらに備え、
前記広告取得部は、取得済みの前記使用者からの前記指示に関連する前記広告を表す前記広告情報を取得する、請求項１に記載の衣類処理装置。
【請求項３】
前記処理実行部は、前記少なくとも１つの工程において、複数の処理コースを実行可能であり、
前記指示取得部は、前記複数の処理コースのうち、前記使用者によって選択される特定の処理コースを表すコース情報を取得し、
前記広告取得部は、取得済みの前記コース情報に関連する前記広告を表す前記広告情報を取得する、請求項２に記載の衣類処理装置。
【請求項４】
前記衣類処理の対象である衣類に関する衣類情報を取得する衣類情報取得部をさらに備え、
前記広告取得部は、取得済みの前記衣類情報に関連する前記広告を表す前記広告情報を取得する、請求項１から３のいずれか一項に記載の衣類処理装置。
【請求項５】
前記衣類情報取得部は、前記衣類を撮像する撮像部を備える、請求項４に記載の衣類処理装置。
【請求項６】
前記衣類は、前記衣類情報が記述されているタグを備え、
前記衣類情報取得部は、前記タグに記述されている前記衣類情報を読み取る読取部を備える、請求項４又は５に記載の衣類処理装置。
【請求項７】
前記処理実行部は、前記洗い工程を含む前記少なくとも１つの種類の前記衣類処理を実行可能であり、
前記衣類処理装置は、前記洗い工程に使用される洗剤に関する洗剤情報を取得する洗剤情報取得部をさらに備え、
前記広告取得部は、取得済みの前記洗剤情報に関連する前記広告を表す前記広告情報を取得する請求項１から６のいずれか一項に記載の衣類処理装置。
【請求項８】
前記衣類処理装置が位置する地域の天候に関する天候情報を取得する天候情報取得部をさらに備え、
前記広告取得部は、取得済みの前記天候情報に関連する前記広告を表す前記広告情報を取得する、請求項１から７のいずれか一項に記載の衣類処理装置。
【請求項９】
前記衣類処理を実行すべき時刻に関する時刻情報を取得する時刻情報取得部をさらに備え、
前記広告取得部は、取得済みの前記時刻情報に関連する前記広告を表す前記広告情報を取得する、請求項１から８のいずれか一項に記載の衣類処理装置。
【請求項１０】
実行済みの前記衣類処理に関する処理情報を蓄積して格納する格納部をさらに備え、
前記広告取得部は、蓄積された前記処理情報に関連する前記広告を表す前記広告情報を取得する、請求項１から９のいずれか一項に記載の衣類処理装置。
【請求項１１】
前記広告情報によって表される前記広告は、衣類及び衣類処理剤の少なくとも一方に関する広告を含む、請求項１から１０のいずれか一項に記載の衣類処理装置。
【請求項１２】
前記広告情報によって表される前記広告は、実行される前記衣類処理に使用されている前記衣類処理剤及び前記衣類処理剤に関連するに関する広告を含む、請求項１１に記載の衣類処理装置。
【請求項１３】
前記広告情報によって表される前記広告は、洗濯補助部材に関する広告を含む、請求項１１に記載の衣類処理装置。
【発明の詳細な説明】
【技術分野】
【０００１】
本明細書に開示する技術は、衣類に洗い工程、すすぎ工程、脱水工程及び乾燥工程の少なくとも１つの工程を含む衣類処理を実行する衣類処理装置に広告を表示する技術に関する。
【背景技術】
【０００２】
情報を表示する表示部を備える家電機器が開示されている。家電機器は、使用者の操作に応じて、家電機器の現在の状態に対応するアドバイスを、表示部に表示する。
【先行技術文献】
【特許文献】
【０００３】
【特許文献１】特開２０１５−２８７６０号公報
【発明の概要】
【発明が解決しようとする課題】
【０００４】
家電機器の周辺に存在する使用者に、家電機器から出力される情報に対して意識を向けさせるためには、使用者に対して、有用な情報を出力することが好ましい。
【０００５】
特に、洗い工程、すすぎ工程、脱水工程及び乾燥工程の少なくとも１つの工程を含む衣類処理を実行する衣類処理装置の周辺に存在する使用者は、衣類の出し入れや衣類処理剤の投入等、衣類処理装置を使用するための作業をしている場合がある。
【０００６】
本明細書では、衣類処理装置において、使用者に対して、有用な広告を出力し得る技術を提供する。
【課題を解決するための手段】
【０００７】
本明細書には、衣類処理装置に関する技術が開示されている。衣類処理装置は、衣類に洗い工程、すすぎ工程、脱水工程、及び乾燥工程のうちの少なくとも１つの工程を含む衣類処理を実行する処理実行部と、実行される前記衣類処理に関連する広告を表す広告情報を取得する広告取得部と、取得済みの前記広告情報によって表される前記広告を出力する出力部と、を備えていてもよい。
【図面の簡単な説明】
【０００８】
【図１】実施例に係る洗濯システムの概略図である。
【図２】第１実施例に係る洗濯乾燥機の構成ブロック図である。
【図３】第１実施例に係る洗濯開始処理を示すフローチャートである。
【図４】第１実施例に係る洗濯乾燥処理を示すフローチャートである。
【図５】第１実施例に係るフィルタ取外時表示処理を示すフローチャートである。
【図６】第１実施例に係る点灯時表示処理を示すフローチャートである。
【図７】第１実施例に係る機器作動時表示処理を示すフローチャートである。
【図８】第１実施例に係る洗浄時表示処理を示すフローチャートである。
【図９】第１実施例に係る設定時表示処理を示すフローチャートである。
【図１０】第１実施例に係るタイミングデータベースである。
【図１１】第１実施例に係るタイミングデータベースである。
【図１２】第１実施例に係るタイミングデータベースである。
【図１３】第１実施例に係る広告データベースである。
【図１４】第１実施例に係る広告データベースである。
【図１５】第１実施例に係る広告データベースである。
【図１６】第１実施例に係る広告データベースである。
【図１７】第１実施例に係る広告データベースである。
【図１８】第１実施例に係る広告データベースである。
【図１９】第１実施例に係る広告データベースである。
【図２０】第１実施例に係る広告データベースである。
【図２１】第２実施例に係る洗濯乾燥機の構成ブロック図である。
【図２２】第２実施例に係る洗濯乾燥処理を示すフローチャートである。
【発明を実施するための形態】
【０００９】
図１〜図２０を参照して実施例に係る洗濯乾燥機１０（以下、単に「洗濯機１０」と呼ぶ）を説明する。洗濯機１０は、洗濯システム２に配置されている。洗濯システム２は、洗濯機１０以外に、広告サーバ２００と、携帯端末３００と、を備える。
【００１０】
洗濯機１０は、インターネット１００を介して、広告サーバ２００に通信可能に接続されている。また、洗濯機１０は、インターネット１００を介して携帯端末３００に通信可能に接続されている。
【００１１】
洗濯機１０は、家庭で用いられる。図２に示すように、洗濯機１０は、筺体１２と、表示部１４と、操作部１６と、検知部１８と、制御部２０と、洗濯槽ユニット３０と、通信モジュール４０と、を備える。
【００１２】
筺体１２は、表示部１４、操作部１６、検知部１８、制御部２０、洗濯槽ユニット３０、及び通信モジュール４０を収容している。表示部１４、操作部１６、検知部１８、洗濯槽ユニット３０、及び通信モジュール４０は、制御部２０と通信可能に接続されている。表示部１４は、液晶パネルを有する。表示部１４は、制御部２０によって制御され、洗濯機１０が実行する処理に関する情報（例えば洗濯乾燥処理の残り期間）を表示する。後で詳述するが、表示部１４は、さらに、広告を表示する。
【００１３】
使用者は、操作部１６を利用して、開始操作、予約操作等の複数の操作を実行することができる。操作部１６は、電源スイッチ１６ａ、スタートボタン、停止ボタン等の複数のボタンを備える。操作部１６は、ユーザによってボタンが操作されると、操作されたボタンに従った信号を制御部２０に送信する。なお、変形例では、表示部１４と操作部１６は、タッチパネルを備えていてもよい。
【００１４】
検知部１８は、照度センサ及び音センサを備える。照度センサは、洗濯機１０が配置されている屋内の照度を検知する。音センサは、洗濯機１０の周辺の音を検知する。例えば、検知部１８は、ドライヤに動作音を検知することができる。
【００１５】
洗濯槽ユニット３０は、洗濯槽３２と、読取部３４と、フィルタ３６と、洗濯検知部３８と、を備える。洗濯槽３２は、開口を有する有底の筒形状を有する。洗濯槽３２は、鉛直方向に対して傾斜している。なお、変形例では、洗濯槽３２は、鉛直方向に配置されていてもよい。洗濯槽３２は、筺体１２に対して回動可能に支持されている。洗濯槽３２は、筺体１２に投入される洗濯物を収容している状態で、制御部２０の制御によって、洗い工程、すすぎ工程、脱水工程、及び乾燥工程を含む衣類処理を実行可能である。洗濯槽３２は、モータによって、筺体１２に対して回動される。モータが制御部２０から取得される信号に従って駆動することによって、洗濯槽３２が回動する。また、乾燥処理では、図示省略したファン及びコンプレッサによって、洗濯槽３２内の衣類が乾燥される。
【００１６】
読取部３４は、ＲＦＩＤ（Radio Frequency Identifierの略）システムのＲＦタグ（以下単に「タグ」と呼ぶ）を読取可能なリーダを備える。読取部３４は、洗濯槽３２内に配置される洗濯物に付されているタグを読み取る。洗濯の対象となる衣類４００には、それぞれにタグ４０２が付されている。タグ４０２には、衣類４００の種類と材質とを含む衣類情報が記録されている。読取部３４は、読み取った衣類情報を、制御部２０に送信する。衣類４００の種類は、例えば「ワイシャツ」、「半袖Ｔシャツ」、「ワンピース」等を示す。材質は、綿、化繊等の材料と、その割合とを含む。
【００１７】
フィルタ３６は、洗濯槽３２に配置されている糸くずフィルタを含む。また、フィルタ３６は、乾燥工程で利用されるフィルタを含んでいてもよい。フィルタ３６は、洗濯槽３２から着脱可能に配置されている。これにより、使用者は、フィルタ３６を洗濯槽３２から取り外して、フィルタ３６に付着した糸くずや埃を取り除くことができる。また、使用者は、フィルタ３６を交換することができる。洗濯検知部３８は、フィルタ３６の着脱を検知する、例えば接触式のセンサを備える。また、洗濯検知部３８は、洗濯槽３２の扉の開閉を検知するセンサを備える。
【００１８】
通信モジュール４０は、洗濯機１０とインターネット１００とを接続するための通信インターフェイス、例えばＬＡＮ（Local Area Networkの略）インターフェイスを備える。制御部２０は、通信モジュール４０を介して、インターネット１００上の広告サーバ２００、携帯端末３００と通信を実行する。
【００１９】
制御部２０は、ＣＰＵとＲＡＭ、ＲＯＭ等のメモリ２２を含む。制御部２０は、図示省略した配線によって、各部１４、１６、１８、３０、４０に制御可能に接続されている。制御部２０は、メモリ２２に洗濯機１０の各部１４、１６、１８、３０、４０を制御するためのコンピュータプログラムを格納する。制御部２０は、ＣＰＵとメモリ２２によって、後述する洗濯開始処理、洗濯乾燥処理、フィルタ取外時表示処理、点灯時表示処理、機器作動時表示処理、洗浄時表示処理、及び、設定時表示処理を含む様々な処理を実行する。
【００２０】
メモリ２２は、複数のタイミングデータベース５００、５０１、５０３（図１０〜図１２参照）、及び複数の広告データベース５０２、５０４、５０６、５０８、５１０、５１２、５１４、５１６（図１３〜図２０）を格納している。タイミングデータベース５００、５０１、５０３は、例えば、洗濯機１０の製造者によって、予めメモリ２２に格納されている。タイミングデータベース５００、５０１、５０３には、広告を表示すべきタイミングと、広告データベース５０２、５０４、５０６、５０８、５１０、５１２、５１４、５１６を識別するためのデータベース識別情報と、が組み合わせて記録されている。広告データベース５０２、５０４、５０６、５０８、５１０、５１２、５１４、５１６は、制御部２０によって編集される。広告データベース５０２、５０４、５０６、５０８、５１０、５１２、５１４、５１６には、タイミングデータベース５００、５０１、５０３で組み合わせられているタイミングで、表示すべき広告の広告情報を識別するための広告識別情報が記録される。
【００２１】
広告サーバ２００は、家電機器（例えば洗濯機１０）に表示されるべき広告を表す広告情報が格納されている。広告サーバ２００には、広告の提供者が提供すべき広告を表す広告情報を格納する。広告サーバ２００は、例えば、洗濯機１０の製造者によって設置されている。広告情報は、広告識別情報と組み合わせられている。
【００２２】
制御部２０は、広告サーバ２００から定期的に、又は不定期に、広告サーバ２００から広告情報を取得する。具体的には、制御部２０は、広告サーバ２００から広告情報を取得すべきタイミングで、広告取得要求を、広告サーバ２００に送信する。広告サーバ２００は、広告取得要求が受信されると、広告取得要求の送信元である洗濯機１０に、広告情報と、広告情報を識別するための広告識別情報と、の組合せを送信する。広告情報によって表される広告は、静止画像と動画像の少なくとも一方が含まれる。
【００２３】
制御部２０は、広告サーバ２００から広告情報と広告識別情報との組合せが取得されると、広告情報と広告識別情報との組合せをメモリ２２に格納する。また、制御部２０は、広告識別情報を、広告データベース５０２、５０４、５０６、５０８、５１０、５１２、５１４、５１６のいずれかに格納する。具体的には、広告識別情報は、広告データベース５０２、５０４、５０６、５０８、５１０、５１２、５１４、５１６のいずれのデータベースに格納すべきであるかを示す種類情報と、広告の内容を示す内容情報と、を含む。なお、図１３〜図２０に示される広告データベース５０２、５０４、５０６、５０８、５１０、５１２、５１４、５１６では、内容情報は、「標準コース」等の語句で示されているが、数字等で示されていてもよい。
【００２４】
制御部２０は、種類情報で特定される広告データベースに、広告識別情報を記録する。なお、図１３〜図２０に示される広告データベース５０２、５０４、５０６、５０８、５１０、５１２、５１４、５１６で記載されている「内容」の項目は、本明細書の技術を分かり易くするために広告の内容を説明するものであり、実際の広告データベース５０２、５０４、５０６、５０８、５１０、５１２、５１４、５１６には記述されていない。
【００２５】
（洗濯乾燥コースの説明）
次いで、洗濯機１０が実行する洗濯乾燥コースを説明する。制御部２０が洗濯槽ユニット３０を制御することによって、複数の洗濯コース及び乾燥コースが実行される。複数の洗濯コースは、標準コース、急速コース、芳香コース、念入りコース、ソフトコース、毛布コース、消臭コース、エココース、つけおきコースを含む。また、各洗濯コースにおいて、洗濯水の温度を冷水と温水とを特定することができる。複数の洗濯コースでは、互いに、洗い工程、すすぎ工程及び脱水工程の少なくとも１つの工程が異なっている。複数の乾燥コースは、標準コース、急速コース、念入りコースを含む。使用者は、操作部１６を操作することによって、複数の洗濯コースの中から、１個の洗濯コース及び水温を決定することができる。また、使用者は、操作部１６を操作することによって、乾燥工程を実行するか否かと、乾燥工程を実行する場合の乾燥コースと、を決定することができる。使用者によって操作部１６に実行される洗濯コースの決定、水温の決定、乾燥工程の有無、及び乾燥コースの決定のための操作を、決定操作と呼ぶ。また、制御部２０は、洗い工程、すすぎ工程、脱水工程及び乾燥工程の少なくとも１つの工程のみを、洗濯槽ユニット３０に実行させることができる。使用者は、操作部１６を操作することによって、洗濯槽ユニット３０が実行すべき工程を決定する操作を実行することができる。このような工程を決定するための操作も、決定操作と呼ぶ。
【００２６】
（広告表示処理）
制御部２０は、メモリ２２内に格納されている広告情報を表示部１４に表示する広告表示処理を実行する。広告表示処理では、洗濯機１０の周囲に使用者が存在する状況と、洗濯機１０の動作の状況に合わせて、広告が表示される。広告表処理では、広告を表示するタイミング及び表示する広告の内容が決定される。広告表示処理は、図３に示す洗濯開始処理と、図４に示す洗濯乾燥処理と、図５に示すフィルタ取外時表示処理と、図６に示す点灯時表示処理と、図７に示す機器作動時表示処理と、図８に示す洗浄時表示処理と、図９に示す設定時表示処理を含む様々な処理を実行する。
【００２７】
（洗濯開始処理）
図３を参照して、制御部２０が実行する洗濯開始処理を説明する。洗濯開始処理は、使用者が洗濯機１０の電源スイッチ１６ａをオフからオンに切り替えると開始される。まず、電源スイッチ１６ａがオフからオンに切り替えられると、Ｓ１２において、制御部２０は、表示部１４、操作部１６、検知部１８、洗濯槽ユニット３０、通信モジュール４０に電力を供給することによって、洗濯機１０を起動する。
【００２８】
次いで、Ｓ１４では、制御部２０は、メモリ２２に格納されている１個以上の広告情報から、１個以上の広告情報を選択し、選択済みの広告情報で表される広告を表示部１４に表示させる。具体的には、制御部２０は、タイミングデータベース５００に記録されている「起動」に組み合わせて記録されているデータベース識別情報である「ＤＢ５０２」を特定する。なお、タイミングデータベース５００では、説明のためにステップ番号が付されているが、実際には付されていなくてもよい。タイミングデータベース５０１、５０３でも同様である。次いで、制御部２０は、特定済のデータベース識別情報「ＤＢ５０２」で識別される広告データベース５０２に記録されている広告識別情報の中から、１個以上の広告識別情報を選択する。制御部２０は、広告識別情報に含まれる内容情報に基づいて、広告識別情報を選択する。
【００２９】
例えば、後述するように、洗濯開始処理では、使用者によって決定済みの洗濯コース、水温、乾燥コース又は工程が累積的に格納される（Ｓ２９）。制御部２０は、累積的に格納されている洗濯コース等の情報、即ち履歴情報を利用して、広告識別情報を特定する。具体的には、格納済みの洗濯コース等において、履歴情報が念入りコースの頻度が他のコースよりも高いことを示す場合、「念入りコースが多い」旨の内容情報を含む広告識別情報を選択する。また、例えば、履歴情報が格納済みの洗濯コース等が特定のコースに限られず、種々の洗濯コースを示す場合、使用者が「主婦」であると判断し、「主婦」の内容情報を含む広告識別情報を選択する。即ち、制御部２０は、洗濯機１０の使用者に関する情報である使用者情報（例えば、主婦、学生、スポーツ選手等）を用いて、広告識別情報を選択する。なお、使用者情報は、制御部２０が履歴情報から特定してもよいし、使用者が操作部１６等を用いて、制御部２０に格納させておいてもよい。さらに、制御部２０は、履歴情報に合致するような広告識別情報が、広告データベース５０２に含まれていない場合、「ランダム」を示す内容情報を含む広告識別情報を選択してもよい。
【００３０】
次いで、制御部２０は、選択済みの広告識別情報に組み合わせてメモリ２２に格納されている広告情報を、メモリ２２から取得する。次いで、制御部２０は、取得済みの広告情報によって表される広告を、表示部１４に表示させる。この構成によれば、洗濯機１０は、履歴情報及び使用者情報を用いて、使用者に有用な広告を表示することができる。なお、変形例では、制御部２０は、履歴情報と使用者情報のいずれか一方を用いて、広告情報を特定してもよい。
【００３１】
次いで、Ｓ１６では、制御部２０は、洗濯検知部３８の検知結果を利用して、洗濯槽３２の扉が開かれることが検知されるまで待機する。なお、Ｓ１６が実行されている間、表示部１４には、Ｓ１４で表示された広告が表示され続けている。
【００３２】
扉が開かれたことが検知されると（Ｓ１６でＹＥＳ）、Ｓ１８において、制御部２０は、メモリ２２に格納されている１個以上の広告情報から、１個の広告情報を選択し、選択済みの広告情報で表される広告を表示部１４に表示させる。なお、Ｓ１４で選択済みの広告情報によって表される広告が動画像であり、Ｓ１８の処理が実行されるタイミングで動画像の広告が終了していない場合、Ｓ１４の広告が終了してから、Ｓ１８の広告を表示する。なお、変形例では、Ｓ１４の広告の表示を中止して、Ｓ１８の広告を表示してもよい。以下も同様である。
【００３３】
Ｓ１８では、制御部２０は、タイミングデータベース５００に記録されている「扉が開いた」に組み合わせて記録されているデータベース識別情報である「ＤＢ５０２」を特定する。次いで、Ｓ１４と同様に、広告識別情報を選択し、選択済みの広告識別情報に組み合わせてメモリ２２に格納されている広告情報を、メモリ２２から取得する。次いで、制御部２０は、取得済みの広告情報によって表される広告を、表示部１４に表示させる。
【００３４】
次いで、Ｓ２０では、制御部２０は、読取部３４から衣類情報が取得されることを監視している。使用者は、Ｓ１６で洗濯槽３２の扉を開けると、洗濯すべき衣類４００を、洗濯槽３２に投入する。使用者は、洗濯槽３２に洗濯の対象の衣類４００を投入する際に、衣類４００に取り付けられているタグ４０２を、読取部３４に読み取らせる。これにより、制御部２０は、読取部３４から衣類情報を取得する。Ｓ２２において、制御部２０は、取得済みの衣類情報をメモリ２２に格納して、Ｓ２４に進む。一方、Ｓ２０において、衣類情報が取得されない場合（Ｓ２０でＮＯ）、Ｓ２２の処理をスキップして、Ｓ２４に進む。
【００３５】
Ｓ２４では、制御部２０は、検知部３８の検知結果を利用して、洗濯槽３２の扉が閉じられたことが検知されることを監視している。扉が閉じられていない場合（Ｓ２４でＮＯ）、Ｓ２０に戻る。Ｓ２０〜Ｓ２４の処理を繰り返し実行されると、複数の衣類４００の衣類情報が取得される。一方、扉が閉じられている場合（Ｓ２４でＹＥＳ）、Ｓ２５において、制御部２０は、インターネット１００を介して、図示省略した外部サーバから、洗濯機１０が設置されている地域の天候（例えば気温、天気（晴れ、くもり、雨等）、湿度等）を表す天候情報（例えば気温情報、天気情報、湿度情報を含む）を取得する。次いで、Ｓ２６では、Ｓ２２で格納済みの衣類情報及びＳ２５で取得済みの天候情報を用いて、メモリ２２に格納されている１個以上の広告情報から、１個の広告情報を選択し、選択済みの広告情報で表される広告を表示部１４に表示させる。なお、広告を表示させるタイミングは、Ｓ１８と同様である。以下、広告を表示させるタイミングは、直前に選択され表示される広告が終了した後のタイミングである。
【００３６】
Ｓ２６では、制御部２０は、タイミングデータベース５００に記録されている「衣類情報及び天候情報を取得」に組み合わせて記録されているデータベース識別情報である「ＤＢ５０４」を特定する。次いで、制御部２０は、特定済のデータベース識別情報「ＤＢ５０４」で識別される広告データベース５０４に記録されている広告識別情報の中から、１個以上の広告識別情報を選択する。制御部２０は、広告識別情報に含まれる内容情報に基づいて選択する。例えば、衣類情報が、材質が綿である衣類４００が多く収容されていることを示す場合、「材質：綿」を示す内容情報を含む広告識別情報を選択する。また、例えば、天候情報が、花粉が多いことを示す場合、「天候：花粉多い」を示す内容情報を含む広告識別情報を選択する。次いで、制御部２０は、選択済みの広告識別情報に組み合わせてメモリ２２に格納されている広告情報を、メモリ２２から取得する。次いで、制御部２０は、取得済みの広告情報によって表される広告を、表示部１４に表示させる。この構成によれば、洗濯機１０は、衣類情報（例えば材質に関する材質情報）及び天候情報を用いて、使用者に有用な広告を表示することができる。なお、変形例では、制御部２０は、衣類情報と天候情報の一方を用いて、広告情報を特定しても良い。
【００３７】
次いで、Ｓ２８では、制御部２０は、使用者によって、操作部１６に決定操作が実行されることを監視している。決定操作が実行されると（Ｓ２８でＹＥＳ）、Ｓ２９において、制御部２０は、決定操作によって決定済みの洗濯コース、水温、乾燥コース又は工程をメモリ２２に格納させる。メモリ２２は、決定済みの洗濯コース、水温、乾燥コース又は工程を累積的に格納する。この構成によれば、洗濯機１０は、使用者が決定した洗濯コース等の履歴を取得することができる。次いで、Ｓ３０では、制御部２０は、Ｓ２９で格納済みの洗濯コース等を用いて、メモリ２２に格納されている１個以上の広告情報から、１個の広告情報を選択し、選択済みの広告情報で表される広告を表示部１４に表示させる。
【００３８】
具体的には、制御部２０は、タイミングデータベース５００に記録されている「決定操作」に組み合わせて記録されているデータベース識別情報である「ＤＢ５０６」を特定する。次いで、制御部２０は、特定済のデータベース識別情報「ＤＢ５０６」で識別される広告データベース５０６に記録されている広告識別情報の中から、内容情報に基づいて、１個以上の広告識別情報を選択する。例えば、Ｓ２８によって決定済みの洗濯コース等が、標準コースである場合、「標準コース」を示す内容情報を含む広告識別情報を選択する。また、例えば、Ｓ２８によって決定済みの洗濯コース等が、念入りコースである場合、「念入りコース」を示す内容情報を含む広告識別情報を選択する。次いで、制御部２０は、選択済みの広告識別情報に組み合わせてメモリ２２に格納されている広告情報を、メモリ２２から取得する。なお、制御部２０は、「念入りコース」を示す内容情報を含む広告識別情報が複数個選択される場合、複数の広告識別情報のそれぞれについて、広告情報を取得する。即ち、制御部２０は、使用者によって決定された衣類処理の洗濯コース等を示すコース情報を用いて、広告情報を特定する。次いで、制御部２０は、取得済みの広告情報によって表される広告を、表示部１４に表示させる。複数の広告情報が取得される場合、複数の広告を順次表示する。この構成によれば、洗濯機１０は、コース情報を用いて、使用者に有用な広告を表示することができる。
【００３９】
次いで、Ｓ３２では、制御部２０は、使用によって、操作部１６に開始操作又は予約操作が実行されることを監視している。開始操作は、操作部１６のスタートボタンの操作を含む。予約操作では、使用者は、操作部１６を操作することによって、Ｓ２８で決定済みの洗濯コース等を実行すべき時刻を設定する。開始操作又は予約操作が実行されると（Ｓ３２でＹＥＳ）、Ｓ３４において、制御部２０は、メモリ２２に格納されている１個以上の広告情報から、１個の広告情報を選択し、選択済みの広告情報で表される広告を表示部１４に表示させる。Ｓ３４の処理は、Ｓ３０の処理と同様である。
【００４０】
次いで、Ｓ３６では、制御部２０は、洗濯槽ユニット３０に、重量検知処理を実行させる。具体的には、制御部２０は、洗濯槽３２を回転させたときのモータにかかる荷重に基づいて、洗濯槽３２に投入されている洗濯物（即ち衣類４００）の重量を検知する。次いで、Ｓ３８では、制御部２０は、Ｓ３６の重量検知処理に並行して、メモリ２２に格納されている１個以上の広告情報から、１個の広告情報を選択し、選択済みの広告情報で表される広告を表示部１４に表示させる。Ｓ３８では、制御部２０は、タイミングデータベース５００に記録されている「重量検知処理」に組み合わせて記録されているデータベース識別情報である「ＤＢ５０２」を特定し、Ｓ１６の処理と同様の処理を実行する。
【００４１】
次いで、Ｓ４０では、制御部２０は、Ｓ３６で検知済みの重量と、Ｓ２８で決定済みの洗濯コース等に基づいて、洗濯槽３２に投入すべき洗剤量を決定して、表示部１４に表示させる。次いで、Ｓ４１において、制御部２０は、Ｓ４０の洗剤量の表示と共に、メモリ２２に格納されている１個以上の広告情報から、１個の広告情報を選択し、選択済みの広告情報で表される広告を表示部１４に表示させる。
【００４２】
具体的には、制御部２０は、タイミングデータベース５００に記録されている「洗剤量を表示」に組み合わせて記録されているデータベース識別情報である「ＤＢ５０８」を特定する。次いで、制御部２０は、特定済のデータベース識別情報「ＤＢ５０８」で識別される広告データベース５０８に記録されている広告識別情報の中から、１個以上の広告識別情報を選択する。具体的には、制御部２０は、内容情報に関係なく、ランダムに１個以上の広告識別情報を選択する。
【００４３】
続くＳ４２では、制御部２０は、洗剤等の衣類処理剤（例えば洗剤、柔軟剤、漂白剤等）が投入されることを監視する。例えば、制御部２０は、使用者によって、洗剤の投入口が開閉される場合に、洗剤が投入済みであると判断する。次いで、Ｓ４４において、制御部２０は、メモリ２２に格納されている１個以上の広告情報から、１個の広告情報を選択し、選択済みの広告情報で表される広告を表示部１４に表示させて、Ｓ４６に進む。なお、Ｓ４４では、制御部２０は、タイミングデータベース５００に記録されている「洗剤を投入」に組み合わせて記録されているデータベース識別情報である「ＤＢ５０８」を特定し、Ｓ４１の処理と同様の処理を実行する。なお、Ｓ２８で決定済みの洗濯コース等に、洗い工程が含まれていない場合、Ｓ４０〜Ｓ４４の処理がスキップされて、Ｓ４６に進む。なお、制御部２０は、投入された衣類処理剤の種類（例えば洗剤、柔軟剤等）を示す衣類処理剤種類情報を用いて、広告識別情報を選択してもよい。この構成によれば、洗濯機１０は、衣類処理剤種類情報を用いて、使用者に有用な広告を表示することができる。また、制御部２０は、例えば、使用者の入力によって、投入される衣類処理剤の製造メーカ、香り等を取得してもよい。この場合、衣類処理剤の製造メーカ、香り等の衣類処理剤関連情報を用いて、広告識別情報（例えば広告データベース５０８の「同メーカの柔軟剤」）を選択してもよい。
【００４４】
Ｓ４６では、制御部２０は、Ｓ２８で決定済みの洗濯コース等に従って、洗濯乾燥処理を開始して、洗濯開始処理を終了する。洗濯開始処理では、使用者が、洗濯機１０の周辺に位置している。洗濯開始処理において広告を表示することによって、使用者が洗濯機１０に表示されている広告を容易に認識し得るタイミングで、広告を表示することができる。
【００４５】
（洗濯乾燥処理）
次いで、図４を参照して、洗濯乾燥処理を説明する。Ｓ４６において洗濯乾燥処理が開始されると、まず、Ｓ６０において、制御部２０は、現在の時刻を表す時刻情報を取得する。時刻情報は、制御部２０に内蔵されている時計機能から取得される。なお、変形例では、制御部２０は、外部サーバ（例えば広告サーバ２００）から時刻情報を取得してもよい。
【００４６】
次いで、Ｓ６２において、制御部２０は、メモリ２２に格納されている１個以上の広告情報から、１個の広告情報を選択し、選択済みの広告情報で表される広告を表示部１４に表示させて、Ｓ６３に進む。具体的には、制御部２０は、タイミングデータベース５０１に記録されている「洗濯乾燥処理を開始」に組み合わせて記録されているデータベース識別情報である「ＤＢ５１０」を特定する。次いで、制御部２０は、特定済のデータベース識別情報「ＤＢ５１０」で識別される広告データベース５１０に記録されている広告識別情報の中から、１個以上の広告識別情報を選択する。制御部２０は、広告識別情報に含まれる内容情報に基づいて選択する。
【００４７】
例えば、Ｓ６０で取得済みの時刻情報で表される時刻が夜中（例えば２３：００〜３：００）を表す場合、「夜中」である旨の内容情報含む広告識別情報を選択する。次いで、制御部２０は、選択済みの広告識別情報に組み合わせてメモリ２２に格納されている広告情報を、メモリ２２から取得する。次いで、制御部２０は、取得済みの広告情報によって表される広告を、表示部１４に表示させる。この構成によれば、洗濯機１０は、時刻情報を用いて、使用者に有用な広告を表示することができる。
【００４８】
Ｓ６３では、制御部２０は、Ｓ２８で決定済みの洗濯コース等に洗い工程が含まれているか否かを判断する。洗い工程が含まれている場合（Ｓ６３でＹＥＳ）、Ｓ６４において、制御部２０は、洗濯槽３２への給水を実行する。次いで、Ｓ６５において、制御部２０は、洗濯乾燥処理が開始されると、メモリ２２に格納されている１個以上の広告情報から、１個の広告情報を選択し、選択済みの広告情報で表される広告を表示部１４に表示させて、Ｓ６６に進む。
【００４９】
具体的には、制御部２０は、タイミングデータベース５０１に記録されている「給水」に組み合わせて記録されているデータベース識別情報である「ＤＢ５１２」を特定する。次いで、制御部２０は、特定済のデータベース識別情報「ＤＢ５１２」で識別される広告データベース５１２に記録されている広告識別情報の中から、１個以上の広告識別情報を選択する。制御部２０は、広告識別情報に含まれる内容情報に基づいて選択する。
【００５０】
例えば、Ｓ２８で決定済みの洗濯コース等において、温水が選択された場合、「温水」を示す内容情報を含む広告識別情報を選択する。次いで、制御部２０は、選択済みの広告識別情報に組み合わせてメモリ２２に格納されている広告情報を、メモリ２２から取得する。次いで、制御部２０は、取得済みの広告情報によって表される広告を、表示部１４に表示させる。なお、制御部２０は、選択すべき広告識別情報を特定することができない場合、広告データベース５０２において、「ランダム」を示す広告識別情報を選択してもよい。この構成によれば、洗濯機１０は、例えば温水であること示す水温情報を用いて、使用者に有用な広告を表示することができる。
【００５１】
Ｓ６６では、制御部２０は、洗濯槽ユニット３０に洗い工程を開始させる。次いで、Ｓ６８において、制御部２０は、Ｓ６６で開始された洗い工程の内容に基づいて、メモリ２２に格納されている１個以上の広告情報から、１個の広告情報を選択し、選択済みの広告情報で表される広告を表示部１４に表示させる。制御部２０は、Ｓ６６で開始された洗い工程が完了するまで、Ｓ６８で選択済みの広告情報によって表される広告を繰り返し表示部１４に表示させる。
【００５２】
具体的には、制御部２０は、タイミングデータベース５０１に記録されている「洗い工程」に組み合わせて記録されているデータベース識別情報である「ＤＢ５１４」を特定する。次いで、制御部２０は、特定済のデータベース識別情報「ＤＢ５１４」で識別される広告データベース５１４に記録されている広告識別情報の中から、１個以上の広告識別情報を選択する。制御部２０は、広告識別情報に含まれる内容情報、即ち「洗い工程」を示す内容情報を含む広告識別情報を選択する。次いで、制御部２０は、選択済みの広告識別情報に組み合わせてメモリ２２に格納されている広告情報を、メモリ２２から取得する。次いで、制御部２０は、取得済みの広告情報によって表される広告を、表示部１４に表示させる。この構成によれば、洗濯機１０は、洗い工程中に、洗い工程に関連する広告を表示することができる。
【００５３】
Ｓ６６で開始された洗い工程が完了すると、Ｓ７０に進む。一方、洗い工程が含まれていない場合（Ｓ６３でＮＯ）、Ｓ６４からＳ６８の処理をスキップして、Ｓ７０に進む。
【００５４】
Ｓ７０では、制御部２０は、Ｓ２８で決定済みの洗濯コース等にすすぎ工程が含まれているか否かを判断する。すすぎ工程が含まれている場合（Ｓ７０でＹＥＳ）、Ｓ７２において、制御部２０は、洗濯槽ユニット３０にすすぎ工程を開始させる。次いで、Ｓ７４において、制御部２０は、Ｓ７２で開始されたすすぎ工程の内容に基づいて、メモリ２２に格納されている１個以上の広告情報から、１個の広告情報を選択し、選択済みの広告情報で表される広告を表示部１４に表示させる。制御部２０は、Ｓ７２で開始されたすすぎ工程が完了するまで、Ｓ７４で選択済みの広告情報によって表される広告を繰り返し表示部１４に表示させる。
【００５５】
具体的には、制御部２０は、タイミングデータベース５０１に記録されている「すすぎ工程」に組み合わせて記録されているデータベース識別情報である「ＤＢ５１４」を特定する。次いで、制御部２０は、特定済のデータベース識別情報「ＤＢ５１４」で識別される広告データベース５１４に記録されている広告識別情報の中から、１個以上の広告識別情報を選択する。制御部２０は、広告識別情報に含まれる内容情報、即ち、「すすぎ工程」を示す内容情報を含む広告識別情報を選択する。次いで、制御部２０は、選択済みの広告識別情報に組み合わせてメモリ２２に格納されている広告情報を、メモリ２２から取得する。次いで、制御部２０は、取得済みの広告情報によって表される広告を、表示部１４に表示させる。この構成によれば、洗濯機１０は、すすぎ工程中に、すすぎ工程に関連する広告を表示することができる。
【００５６】
Ｓ７２で開始されたすすぎ工程が完了すると、Ｓ７６に進む。一方、すすぎ工程が含まれていない場合（Ｓ７０でＮＯ）、Ｓ７２からＳ７４の処理をスキップして、Ｓ７６に進む。
【００５７】
Ｓ７６では、制御部２０は、Ｓ２８で決定済みの洗濯コース等に脱水工程が含まれているか否かを判断する。脱水工程が含まれている場合（Ｓ７６でＹＥＳ）、Ｓ７８において、制御部２０は、洗濯槽ユニット３０に脱水工程を開始させる。Ｓ７８で開始された脱水工程が完了すると、Ｓ８０に進む。一方、脱水工程が含まれていない場合（Ｓ７６でＮＯ）、Ｓ７８の処理をスキップして、Ｓ８０に進む。Ｓ８０では、制御部２０は、Ｓ２８で決定済みの洗濯コース等に乾燥工程が含まれているか否かを判断する。乾燥工程が含まれている場合（Ｓ８０でＹＥＳ）、Ｓ８２において、制御部２０は、洗濯槽ユニット３０に乾燥工程を開始させる。次いで、Ｓ８４において、制御部２０は、メモリ２２に格納されている１個以上の広告情報から、１個の広告情報を選択し、選択済みの広告情報で表される広告を表示部１４に表示させる。制御部２０は、Ｓ８２で開始された乾燥工程が完了するまで、Ｓ８４で選択済みの広告情報によって表される広告を繰り返し表示部１４に表示させて、Ｓ８６に進む。
【００５８】
具体的には、制御部２０は、タイミングデータベース５０１に記録されている「乾燥工程」に組み合わせて記録されているデータベース識別情報である「ＤＢ５１４」を特定する。次いで、制御部２０は、特定済のデータベース識別情報「ＤＢ５１４」で識別される広告データベース５１４に記録されている広告識別情報の中から、１個以上の広告識別情報を選択する。制御部２０は、広告識別情報に含まれる内容情報、即ち、「乾燥工程」を示す内容情報を含む広告識別情報を選択する。次いで、制御部２０は、選択済みの広告識別情報に組み合わせてメモリ２２に格納されている広告情報を、メモリ２２から取得する。次いで、制御部２０は、取得済みの広告情報によって表される広告を、表示部１４に表示させる。この構成によれば、洗濯機１０は、乾燥工程中に、乾燥工程に関連する広告を表示することができる。
【００５９】
一方、乾燥工程が含まれていない場合（Ｓ８０でＮＯ）、Ｓ８２からＳ８４の処理をスキップして、Ｓ８６に進む。
【００６０】
Ｓ８６では、制御部２０は、Ｓ２８で決定済みの洗濯コース等の全ての工程が完了するまで待機する。全ての工程が完了すると（Ｓ８６でＹＥＳ）Ｓ８８において、制御部２０は、完了報知を実行する。完了報知では、制御部２０は、表示部１４に全ての工程が完了したことを示す文字列を表示させる。なお、完了報知では、制御部２０は、図示省略した洗濯機１０のスピーカに全ての工程が完了したことを示す音声を出力させてもよい。次いで、Ｓ９０では、制御部２０は、メモリ２２に格納されている１個以上の広告情報から、１個の広告情報を選択し、選択済みの広告情報で表される広告を表示部１４に表示させる。制御部２０は、所定の期間に亘って、広告が表示されると、表示部１４に広告の表示を提起させて、洗濯乾燥処理を終了する。
【００６１】
洗濯乾燥工程では、洗濯コースの各工程に対応する広告を表示することができる。但し、比較的に騒音が大きい脱水工程では、広告が表示されない。この構成によれば、使用者が比較的に広告を認識しやすいタイミングで、広告を表示させることができる。
【００６２】
（フィルタ取外時表示処理）
洗濯機１０が衣類４００に対して洗濯乾燥処理を実行すると、洗濯槽ユニット３０のフィルタ３６に糸くずや埃が蓄積される。使用者は、フィルタ３６の清掃作業又は取り換え作業を行う。このとき、制御部２０は、フィルタ取外時表示処理を実行する。具体的には、図５に示すように、Ｓ１０２では、制御部２０は、洗濯機１０の電源がオフからオンに切り替えられると、フィルタ３６が取り外されることを監視している。具体的には、制御部２０は、洗濯検知部３８からフィルタ３６が取り外されたことを示す信号が取得されることを待機している。フィルタ３６が取り外されたことを示す信号が取得される場合に、制御部２０は、フィルタ３６が取り外されたことを検知されると判断し、（Ｓ１０２でＹＥＳ）、Ｓ１０４において、制御部２０は、メモリ２２に格納されている１個以上の広告情報から、１個の広告情報を選択し、選択済みの広告情報で表される広告を表示部１４に表示させる。
【００６３】
具体的には、制御部２０は、タイミングデータベース５０３に記録されている「フィルタ取外時表示処理」に組み合わせて記録されているデータベース識別情報である「ＤＢ５１６」を特定する。次いで、制御部２０は、特定済のデータベース識別情報「ＤＢ５１６」で識別される広告データベース５１６に記録されている広告識別情報の中から、１個以上の広告識別情報を選択する。制御部２０は、広告識別情報に含まれる内容情報に基づいて選択する。例えば、制御部２０は、「フィルタ」を示す内容情報を含む広告識別情報を選択する。次いで、制御部２０は、選択済みの広告識別情報に組み合わせてメモリ２２に格納されている広告情報を、メモリ２２から取得する。次いで、制御部２０は、取得済みの広告情報によって表される広告を、表示部１４に表示させる。
【００６４】
次いで、Ｓ１０６では、制御部２０は、フィルタ３６が取り付けられることを監視している。具体的には、制御部２０は、洗濯検知部３８からフィルタ３６が取り付けられたことを示す信号が取得されることを監視している。フィルタ３６が取り付けられたことを示す信号が取得される場合に、制御部２０は、フィルタ３６が取り付けられたことを検知されると判断し、（Ｓ１０６でＹＥＳ）、Ｓ１０８において、制御部２０は、Ｓ１０４で開始された広告の表示を停止して、フィルタ取外時表示処理を終了する。
【００６５】
フィルタを取り外している間、使用者は、洗濯機１０の周囲に位置する可能性が高い。このため、フィルタ取外時表示処理において、広告を表示することによって、使用者が洗濯機１０の周囲に位置する状況で、広告を表示し得る。また、フィルタの取り外しに関連する広告、例えば、新しい種類のフィルタの広告や、フィルタを購入可能な店舗の広告等を表示することができる。
【００６６】
（点灯時表示処理）
次いで、灯時表示処理を説明する。図６に示すように、Ｓ１２２では、制御部２０は、洗濯機１０が設置されている屋内の照明が点灯されることを監視している。具体的には、制御部２０は、検知部１８から屋内の照度が予め決められた照度を超えたことを示す信号が取得されることを監視している。予め決められた照度を超えたことを示す信号が取得される場合に、制御部２０は、照明が点灯されたと判断し、（Ｓ１２２でＹＥＳ）、Ｓ１２４において、制御部２０は、メモリ２２に格納されている１個以上の広告情報から、１個の広告情報を選択し、選択済みの広告情報で表される広告を表示部１４に表示させる。
【００６７】
具体的には、制御部２０は、タイミングデータベース５０３に記録されている「点灯時表示処理」に組み合わせて記録されているデータベース識別情報である「ＤＢ５０２」を特定する。次いで、制御部２０は、特定済のデータベース識別情報「ＤＢ５０２」で識別される広告データベース５０２に記録されている広告識別情報の中から、１個以上の広告識別情報を選択する。制御部２０は、広告識別情報に含まれる内容情報に基づいて選択する。例えば、制御部２０は、「点灯」を示す内容情報を含む広告識別情報を選択する。なお、制御部２０は、「点灯」を示す広告識別情報が広告データベース５０２に格納されていない場合、「ランダム」を示す広告識別情報が広告データベース５０２を選択してもよい。次いで、制御部２０は、選択済みの広告識別情報に組み合わせてメモリ２２に格納されている広告情報を、メモリ２２から取得する。次いで、制御部２０は、取得済みの広告情報によって表される広告を、表示部１４に表示させる。
【００６８】
次いで、Ｓ１２６では、制御部２０は、屋内の照明が消灯されることを監視している。具体的には、制御部２０は、検知部１８から屋内の照度が予め決められた照度以下に下がったことを示す信号が取得されることを待機している。照度が下がったことを示す信号が取得される場合に、制御部２０は、照明が消灯されたと判断し、（Ｓ１２６でＹＥＳ）、Ｓ１２８において、制御部２０は、Ｓ１２４で開始された広告の表示を停止して、点灯時表示処理を終了する。
【００６９】
洗濯機１０が設置されている屋内の照明が点灯している間、使用者は、洗濯機１０の周囲に位置する可能性が高い。このため、点灯時表示処理において、広告を表示することによって、使用者が洗濯機１０の周囲に位置する状況で、広告を表示し得る。
【００７０】
（機器作動時表示処理）
次いで、機器時表示処理を説明する。図７に示すように、Ｓ１４２では、制御部２０は、洗濯機１０の周辺に位置する家電機器（例えばドライヤ）が作動されることを監視している。具体的には、制御部２０は、検知部１８から家電機器の動作音が検知されていることを示す信号が取得されることを監視している。動作音が検知されていることを示す信号が取得される場合に、制御部２０は、家電機器が作動していると判断し、（Ｓ１４２でＹＥＳ）、Ｓ１４４において、制御部２０は、メモリ２２に格納されている１個以上の広告情報から、１個の広告情報を選択し、選択済みの広告情報で表される広告を表示部１４に表示させる。
【００７１】
具体的には、制御部２０は、タイミングデータベース５０３に記録されている「機器作動時表示処理」に組み合わせて記録されているデータベース識別情報である「ＤＢ５０２」を特定する。次いで、制御部２０は、特定済のデータベース識別情報「ＤＢ５０２」で識別される広告データベース５０２に記録されている広告識別情報の中から、１個以上の広告識別情報を選択する。制御部２０は、広告識別情報に含まれる内容情報に基づいて選択する。例えば、制御部２０は、「機器作動」を示す内容情報を含む広告識別情報を選択する。なお、制御部２０は、点灯時表示処理と同様に、「ランダム」を示す広告識別情報が広告データベース５０２を選択してもよい。次いで、制御部２０は、選択済みの広告識別情報に組み合わせてメモリ２２に格納されている広告情報を、メモリ２２から取得する。次いで、制御部２０は、取得済みの広告情報によって表される広告を、表示部１４に表示させる。
【００７２】
次いで、Ｓ１４６では、制御部２０は、洗濯機１０の周辺に位置する家電機器の作動が停止されることを監視している。具体的には、制御部２０は、検知部１８から家電機器の動作音が検知されなくなったことを示す信号が取得されることを監視している。動作音が検知されなくなったことを示す信号が取得される場合に、制御部２０は、家電機器の作動が停止されたと判断し、（Ｓ１４６でＹＥＳ）、Ｓ１４８において、制御部２０は、Ｓ１４４で開始された広告の表示を停止して、機器作動時表示処理を終了する。
【００７３】
洗濯機１０の周辺に位置する家電機器が作動している間、使用者は、洗濯機１０の周囲に位置する可能性が高い。このため、機器作動時表示処理において、広告を表示することによって、使用者が洗濯機１０の周囲に位置する状況で、広告を表示し得る。
【００７４】
（洗浄時表示処理）
ついで、洗浄時表示処理を説明する。図８に示すように、Ｓ１６２では、制御部２０は、使用者によって、操作部１６に洗濯槽洗浄コースを実行させるための洗浄操作が実行されることを監視している。制御部２０は、洗浄操作が実行されると（Ｓ１６２でＹＥＳ）、Ｓ１６３において、制御部２０は、洗濯槽洗浄コースを、洗濯槽ユニット３０に実行させる。次いで、洗濯槽洗浄コースが実行されている間、Ｓ１６４において、制御部２０は、メモリ２２に格納されている１個以上の広告情報から、１個の広告情報を選択し、選択済みの広告情報で表される広告を表示部１４に表示させる。
【００７５】
具体的には、制御部２０は、タイミングデータベース５０３に記録されている「洗浄時表示処理」に組み合わせて記録されているデータベース識別情報である「ＤＢ５０２」を特定する。次いで、制御部２０は、特定済のデータベース識別情報「ＤＢ５０２」で識別される広告データベース５０２に記録されている広告識別情報の中から、１個以上の広告識別情報を選択する。制御部２０は、広告識別情報に含まれる内容情報に基づいて選択する。例えば、制御部２０は、「洗浄」を示す内容情報を含む広告識別情報を選択する。なお、制御部２０は、点灯時表示処理と同様に、「ランダム」を示す広告識別情報が広告データベース５０２を選択してもよい。次いで、制御部２０は、選択済みの広告識別情報に組み合わせてメモリ２２に格納されている広告情報を、メモリ２２から取得する。次いで、制御部２０は、取得済みの広告情報によって表される広告を、表示部１４に表示させる。
【００７６】
次いで、Ｓ１６６では、制御部２０は、洗濯槽洗浄コースが完了することを監視している。洗濯槽洗浄コースが完了すると（Ｓ１６６でＹＥＳ）、Ｓ１６８において、制御部２０は、Ｓ１６４で開始された広告の表示を停止して、洗浄時表示処理を終了する。
【００７７】
洗浄操作が実行している間、使用者は、洗濯機１０の周囲に位置する可能性が高い。このため、洗浄時表示処理において、広告を表示することによって、使用者が洗濯機１０の周囲に位置する状況で、広告を表示し得る。また、洗濯槽洗浄に関連する広告、例えば、洗浄剤の広告や、洗濯槽が汚れにくい洗濯機の広告等を表示することができる。
【００７８】
（設定時表示処理）
次いで、設定時表示処理を説明する。図９に示すように、Ｓ１８２では、制御部２０は、使用者によって、操作部１６に、洗濯機１０と外部装置（例えば携帯端末３００）を通信可能に接続するための設定操作が実行されることを監視している。制御部２０は、設定操作が実行されると（Ｓ１８２でＹＥＳ）、Ｓ１８４において、制御部２０は、メモリ２２に格納されている１個以上の広告情報から、１個の広告情報を選択し、選択済みの広告情報で表される広告を表示部１４に表示させる。
【００７９】
具体的には、制御部２０は、タイミングデータベース５０３に記録されている「設定時表示処理」に組み合わせて記録されているデータベース識別情報である「ＤＢ５０２」を特定する。次いで、制御部２０は、特定済のデータベース識別情報「ＤＢ５０２」で識別される広告データベース５０２に記録されている広告識別情報の中から、１個以上の広告識別情報を選択する。制御部２０は、広告識別情報に含まれる内容情報に基づいて選択する。例えば、制御部２０は、「設定」を示す内容情報を含む広告識別情報を選択する。なお、制御部２０は、「設定」を示す広告識別情報が広告データベース５０２に格納されていない場合、「ランダム」を示す広告識別情報が広告データベース５０２を選択してもよい。次いで、制御部２０は、選択済みの広告識別情報に組み合わせてメモリ２２に格納されている広告情報を、メモリ２２から取得する。次いで、制御部２０は、取得済みの広告情報によって表される広告を、表示部１４に表示させる。
【００８０】
次いで、Ｓ１８６では、制御部２０は、設定操作が完了すること（例えば、使用者が設定完了ボタンを操作すること）を監視している。設定操作が完了すると（Ｓ１８６でＹＥＳ）、Ｓ１８８において、制御部２０は、Ｓ１８４で開始された広告の表示を停止して、設定時表示処理を終了する。
【００８１】
設定操作が実行されている間、使用者は、洗濯機１０の周囲に位置する可能性が高い。このため、設定時表示処理において、広告を表示することによって、使用者が洗濯機１０の周囲に位置する状況で、広告を表示し得る。
【００８２】
（効果）
本実施例の洗濯機１０では、洗濯機１０が実行する洗濯コース等、投入される洗剤等、洗濯機１０が実行する衣類処理に関連する広告が表示部１４に表示される。これにより、例えば、外部サーバ等から取得される広告情報によって表される広告を実行される衣類処理に関連無く表示する構成と比較して、使用者に有用な広告を表示することができる。これにより、使用者の関心を惹くことができる。
【００８３】
特に、洗濯機１０によって実行される工程に合わせて、表示される広告が変更されることによって、使用者は、洗濯機１０が実行中の工程に合わせた広告を取得することができる。
【００８４】
（対応関係）
洗濯機１０が「衣類処理装置」の一例である。表示部１４が「出力部」の一例である。操作部１６が「指示取得部」の一例である。読取部３４が「衣類情報取得部」の一例である。Ｓ４０で決定される洗剤量、洗剤種類情報が「洗剤情報」の一例である。洗剤、柔軟剤、漂白剤等が、「衣類処理剤」の一例である。例えば、洗い工程に使用される洗剤に関連する柔軟剤の情報が、「実行される衣類処理に使用されている衣類処理剤に関連する衣類処理剤」の一例である。洗濯ネット、洗濯キャップが「洗濯補助部材」の一例である。
【００８５】
また、Ｓ１２の洗濯機の起動、Ｓ１６の扉の開放、Ｓ２０の衣類情報、Ｓ２５の天候情報、Ｓ２９の決定済みの洗濯コース、水温、乾燥コース又は工程、Ｓ３２の開始操作又は予約操作、Ｓ３６の洗濯物の重量、Ｓ４０の洗剤量、Ｓ４２の洗剤投入、Ｓ６０の時刻情報、Ｓ６４の給水、Ｓ６６の洗い工程、Ｓ７０のすすぎ工程、Ｓ７８の脱水工程、Ｓ８２の乾燥工程、Ｓ８６の工程の完了、Ｓ１０２のフィルタ取り外し、Ｓ１２２の照明の点灯、Ｓ１４２の家電機器の作動、Ｓ１６４の洗浄コース、及びＳ１８２の設定操作の後に出力される広告が、「衣類処理に関連する広告」に一例である。
【００８６】
（第２実施例）
図２１、図２２を参照して、本実施例の洗濯機１０について、第１実施例と異なる点を説明する。なお、第１実施例と同様の構成は、同一の符号を付して説明を省略する。洗濯機２１０の洗濯槽ユニット３０は、洗剤貯留部２３８を備える。洗剤貯留部２３８は、洗い工程に用いられる洗剤、柔軟剤等を貯留する１個以上のタンクを備える。また、洗剤貯留部２３８は、各タンク内の洗剤等の残量を検出する液位センサを備える。液位センサは、例えば、液体の洗剤等に浮かぶフロート式のセンサである。液位センサは、洗剤等の残量が所定量以下に減少すると、制御部２０に、残量が少ないことを示す信号を送信する。
【００８７】
読取部３４は、タグを読取可能なリーダに替えて、衣類４００に付された２次元コード等の表示方式のコードを読み取る撮像装置（例えばカメラ）を備える。
【００８８】
（広告表示処理）
次いで、本実施例の洗濯機２１０が実行する広告表示処理について、第１実施例の洗濯１０が実行する処理と異なる点を説明する。まず、洗濯開始処理では、Ｓ２０において、制御部２０は、読取部３４に、衣類４００に付されたコードを読み取らせる。これにより、制御部２０は、衣類情報を取得する。なお、変形例では、読取部３４は、リーダと撮像装置とを備えていてもよい。この場合、制御部２０は、衣類４００にタグが付されているか、コードが付されているかによって、リーダと撮像装置とのいずれかで衣類情報を所得してもよい。
【００８９】
（洗濯乾燥処理）
次いで、図２２を参照して、洗濯機２１０の制御部２０が実行する洗濯乾燥処理を説明する。本実施例の洗濯乾燥処理では、Ｓ６４、Ｓ６６の洗い工程、Ｓ７２のすすぎ工程、及びＳ８２の乾燥工程が実行されても、広告が表示されない。即ち、制御部２０は、Ｓ６５、Ｓ６８、Ｓ７８及びＳ８４の処理を実行しない。一方、Ｓ７８において、脱水工程が実行されると、Ｓ２７９において、制御部２０は、Ｓ７８で開始された脱水工程の内容に基づいて、メモリ２２に格納されている１個以上の広告情報から、１個の広告情報を選択し、選択済みの広告情報で表される広告を表示部１４に表示させる。制御部２０は、Ｓ７８で開始された洗い工程が完了するまで、Ｓ２７９で選択済みの広告情報によって表される広告を繰り返し表示部１４に表示させる。
【００９０】
洗濯乾燥工程では、洗濯コースの脱水工程に対応する広告が表示される。この構成では、使用者が比較的に洗濯槽３２からの騒音が大きいタイミングで広告が表示される。これにより、洗濯槽３２からの騒音が比較的に小さいタイミングで広告の音声が際立ってしまい、使用者に違和感を与えることを抑制することができる。なお、制御部２０は、脱水工程の終盤に広告を表示してもよい。脱水工程の終盤では、騒音が小さく、表示される広告の音声を聞き取りやすくすることができる。
【００９１】
なお、Ｓ７８の脱水工程の後に出力される広告が、「洗濯処理に関連する広告」に一例である。
【００９２】
本発明のいくつかの実施形態を説明したが、これらの実施形態は、例として提示したものであり、発明の範囲を限定することは意図していない。これら実施形態は、その他の様々な形態で実施されることが可能であり、発明の要旨を逸脱しない範囲で、種々の省略、置き換え、変更を行うことができる。
【００９３】
（１）上記の実施例では、広告サーバ２００から広告情報を取得する。しかしながら、メモリ２２は、予め広告情報を格納していてもよい。あるいは、制御部２０は、インターネット１００上に提供されている広告を表す広告情報を取得してもよい。
【００９４】
（２）上記の実施例では、制御部２０は、広告情報を、予め広告サーバ２００から取得し、メモリ２２に格納しておく。しかしながら、制御部２０は、広告を選択する際に、広告サーバ２００に格納されている広告情報を選択してもよい。例えば、制御部２０は、広告情報に対応する識別情報を格納しており、選択時に、識別情報を選択してもよい。この場合、制御部２０は、選択済みの識別情報を、広告サーバ２００に送信して、選択済みの識別情報に対応する広告情報を、広告サーバ２００から取得してもよい。
【００９５】
（３）上記の各実施例では、洗濯準備処理において、Ｓ１４、Ｓ１８、Ｓ２６、Ｓ３０、Ｓ３４、Ｓ３８、Ｓ４１、及びＳ４４のタイミングで、広告が表示される。しかしながら、制御部２０は、Ｓ１４、Ｓ１８、Ｓ２６、Ｓ３０、Ｓ３４、Ｓ３８、Ｓ４１、及びＳ４４のうちの少なくとも１つのタイミングで、広告を表示しなくてもよい。即ち、制御部２０は、Ｓ１４、Ｓ１８、Ｓ２６、Ｓ３０、Ｓ３４、Ｓ３８、Ｓ４１、及びＳ４４の処理のうちの少なくとも１つの処理を実行しなくてもよい。
【００９６】
（４）上記の第１実施例の洗濯乾燥処理において、制御部２０は、Ｓ７８で脱水工程が開始された後に、広告を表示させてもよい。また、上記の第１実施例の洗濯乾燥処理において、制御部２０は、Ｓ６２、Ｓ６５、Ｓ６８、Ｓ７４、Ｓ７８の後の処理、Ｓ８４、及び、Ｓ８８のうちの少なくとも１つのタイミングで、広告を表示しなくてもよい。即ち、制御部２０は、Ｓ６２、Ｓ６５、Ｓ６８、Ｓ７４、Ｓ７８の後の処理、Ｓ８４、及び、Ｓ８８の処理のうちの少なくとも１つの処理を実行しなくてもよい。
【００９７】
（５）上記の各実施例では、制御部２０は、広告の表示タイミングに関係なく、洗濯機１０が実行すべき処理に応じた広告を表示させてもよい。
【００９８】
（６）洗濯機１０は、筺体１２に着脱可能な部品として、フィルタ３６以外に、蓋、ポンプ等を備えていてもよい。
【００９９】
（７）上記の各実施例において、制御部２０は、洗濯機１０の周辺に使用者が存在するタイミングで、表示部１４に広告を表示させてもよい。本変形例では、洗濯機１０は、人感センサ等、使用者を検知する装置を備えていてもよい。
【０１００】
（８）検知部１８は、洗濯機１０が設置されている屋内又は室内の照明機器と家電機器との少なくとも一方の機器の電源のオンとオフとを検知可能であればよい。例えば、検知部１８は、照明機器と家電機器との少なくとも一方の機器と通信可能に接続されていていよい。
【０１０１】
（９）上記の実施例では、洗濯機１０が「衣類処理装置」の一例である。しかしながら、「衣類処理装置」は、洗濯機１０以外に、洗濯処理及び乾燥処理の一方を実行可能な装置であってもよく、洗濯処理の洗い、すすぎ、脱水のいずれかの工程のみを実行可能であってもよい。
【０１０２】
（１０）上記の各実施例は、広告表示処理は、洗濯開始処理、洗濯乾燥処理、フィルタ取外時表示処理、点灯時表示処理、機器作動時表示処理、洗浄時表示処理、及び、設定時表示処理を含む。しかしながら、制御部２０は、洗濯開始処理、洗濯乾燥処理、フィルタ取外時表示処理、点灯時表示処理、機器作動時表示処理、洗浄時表示処理、及び、設定時表示処理の少なくとも１つの処理を実行しなくてもよい。
【０１０３】
（１１）上記の各実施例では、制御部２０は、表示部１４に広告を表示させている。しかしながら、広告の出力方法として、洗濯機１０がスピーカを備えており、制御部２０が、スピーカに広告の音声を出力させてもよい。あるいは、制御部２０は、通信可能に接続されている外部装置に、広告情報を送信し、外部装置に広告を表示させてもよい。
【０１０４】
これら実施形態やその変形は、発明の範囲や要旨に含まれると同様に、特許請求の範囲に記載された発明とその均等の範囲に含まれるものである。
【符号の説明】
【０１０５】
２      ：洗濯システム
１０    ：洗濯乾燥機
１４    ：表示部
１６    ：操作部
１８    ：検知部
２０    ：制御部
３０    ：洗濯槽ユニット
３２    ：洗濯槽
３４    ：読取部
３６    ：フィルタ
３８    ：洗濯検知部
４０    ：通信モジュール
１００  ：インターネット
２００  ：広告サーバ
２１０  ：洗濯機
２３８  ：洗剤貯留部
３００  ：携帯端末
４００  ：衣類
４０２  ：タグ
５００、５０１、５０３：タイミングデータベース
５０２、５０４、５０６、５０８、５１０、５１２、５１４、５１６：広告データベース
【図１】
2019134892.tif 000003
【図２】
2019134892.tif 000004
【図３】
2019134892.tif 000005
【図４】
2019134892.tif 000006
【図５】
2019134892.tif 000007
【図６】
2019134892.tif 000008
【図７】
2019134892.tif 000009
【図８】
2019134892.tif 000010
【図９】
2019134892.tif 000011
【図１０】
2019134892.tif 000012
【図１１】
2019134892.tif 000013
【図１２】
2019134892.tif 000014
【図１３】
2019134892.tif 000015
【図１４】
2019134892.tif 000016
【図１５】
2019134892.tif 000017
【図１６】
2019134892.tif 000018
【図１７】
2019134892.tif 000019
【図１８】
2019134892.tif 000020
【図１９】
2019134892.tif 000021
【図２０】
2019134892.tif 000022
【図２１】
2019134892.tif 000023
【図２２】
2019134892.tif 000024